(57)【特許請求の範囲】
【請求項１】
管理されたエリアにおいて、所定電圧の直流電流を供給する直流電源装置と、前記直流電源装置からの出力を合成する接続箱と、前記接続箱から出力された電流を変換し、交流電流を供給する系統連系インバータを備えた電力供給システムであって、
前記接続箱と前記系統連系インバータの間に、管理装置からの、前記直流電源装置の出力の運用に応じて生成する切替信号に基づいて前記交流電流の供給系統と直流電流の供給系統を切り替える切替部を設け、
前記切替部の一方には、前記直流電源装置の接続箱が接続され、前記切替部の他方には前記系統連系インバータと直流線が切り替え可能に接続されており、
前記切替部は、前記系統連系インバータと前記直流線の切り替えを指示する前記切替信号の入力部を備え、
前記直流線の前記切替部側から順にDC/DCコンバータ及び直流負荷が接続されており、
前記切替信号は、前記直流線の接続装置を介して電動移動体が前記直流線に物理的接続されたときに、管理装置が前記電動移動体に予め付与された識別情報を取得して、前記識別情報が前記直流線に電気的接続可能な登録情報と判別したときに前記電動移動体に非走行モードを設定し、前記直流線に切り替える指令である
ことを特徴とする電力供給システム。
【請求項２】
請求項１に記載の電力供給システムであって、
前記切替部は、切替器である
ことを特徴とする電力供給システム。
【請求項３】
請求項１に記載の電力供給システムであって、
前記切替部は、前記直流電源装置のストリング毎に配線を切り替え可能に設けられた前記接続箱である
ことを特徴とする電力供給システム。
【請求項４】
請求項１に記載の電力供給システムであって、
前記直流電源装置は、太陽光発電装置である
ことを特徴とする電力供給システム。
【請求項５】
請求項１に記載の電力供給システムであって、
前記系統連系インバータから商用系統に交流電流を供給する
ことを特徴とする電力供給システム。
【発明の詳細な説明】
【技術分野】
【０００１】
本発明は、電力供給システムに関する。
【背景技術】
【０００２】
ある地域の既設の太陽光発電設備については、ＦＩＴ（再生可能エネルギーの固定価格買取制度）の契約で定められた１０年間の電力系統への売電期間が順次終了する。売電期間終了後の太陽光発電設備の運用が望まれていた。
【０００３】
化石燃料価格の高騰、環境への配慮、地球温暖化防止などを背景に、大容量の蓄電池を搭載したプラグインハイブリッド電動車両、ピュア電動車両が注目され、その市場が急激に拡大している。この傾向がさらに加速するものと予測されている。
【先行技術文献】
【特許文献】
【０００４】
【特許文献１】特開２０１５−６１４３９号公報
【発明の概要】
【発明が解決しようとする課題】
【０００５】
特許文献１に示す電気自動車用急速充電設備においては、太陽光発電モジュールが発電した直流電力を、発電装置用ＤＣ／ＤＣ変換器動力回路を介して所定の直流電圧に変換して直流バスに供給しており、交流系統への売電については直接的な記述は見当たらない。
【０００６】
ＦＩＴの契約での太陽光発電設備は、一般に交流系統に売電のために供給している。このため、発明者らは、例えば、太陽光発電の発電電力を自家消費等する場合、既設発電システムの大幅な改造を伴わずに、交流系統側への供給及び直流系統側への供給を任意に切り替えることが困難という課題に直面した。
【０００７】
他方、既存の太陽光発電設備の有効活用を図るため、地域内での自家消費型への電力供給に切り替えて運用することが望まれていた。
【０００８】
本発明は、前記した課題を解決するためになされたものであり、既設発電システムの大幅な改造を伴わずに、交流系統側への供給及び直流系統側への供給を任意に切り替えることができる電力供給システムを提供することを目的とする。
【課題を解決するための手段】
【０００９】
前記目的を達成するため、本発明の電力供給システムは、管理されたエリアにおいて、所定電圧の直流電流を供給する直流電源装置（例えば、太陽光発電モジュール）と、直流電源装置からの出力を合成する接続箱と、接続箱から出力された電流を変換し、交流電流を供給する系統連系インバータを備えた電力供給システムであって、接続箱と系統連系インバータの間に、管理装置からの、直流電源装置の出力の運用に応じて生成する切替信号に基づいて交流電流の供給系統と直流電流の供給系統を切り替える切替部を設け、切替部の一方には、直流電源装置の接続箱が接続され、切替部の他方には系統連系インバータと直流線が切り替え可能に接続されており、切替部は、系統連系インバータと直流線の切り替えを指示する切替信号の入力部を備え、直流線の切替部側から順にDC/DCコンバータ及び直流負荷が接続されており、切替信号は、直流線の接続装置を介して電動移動体が直流線に物理的接続されたときに、管理装置が電動移動体に予め付与された識別情報を取得して、識別情報が直流線に電気的接続可能な登録情報と判別したときに電動移動体に非走行モードを設定し、直流線に切り替える指令であることを特徴とする。本発明のその他の態様については、後記する実施形態において説明する。
【発明の効果】
【００１０】
本発明によれば、既設発電システムの大幅な改造を伴わずに、交流系統側への供給及び直流系統側への供給を任意に切り替えることができる。
【図面の簡単な説明】
【００１１】
【図１】第１実施形態に係る管理エリアの電力供給システムの構成を示す図である。
【図２】第２実施形態に係る管理エリアの電力供給システムの構成を示す図である。
【図３】第２実施形態に係る電力供給システムの系統切替方法の一例を示す図である。
【図４】第３実施形態に係る管理エリアの電力供給システムの構成を示す図である。
【図５】既存の太陽光発電システムのタイプＴ１の構成を示す図である。
【図６】既存の太陽光発電システムのタイプＴ２の構成を示す図である。
【図７】実施形態に係る電力供給システムの直流線の詳細を示す図である。
【図８】実施形態に係る電動移動体の充電モードの構成を示す図である。
【図９】実施形態に係る電動移動体の走行モードの構成を示す図である。
【発明を実施するための形態】
【００１２】
まず、最初に既存の太陽光発電システムの構成例を図５及び図６を参照して説明する。
図５は、既存の太陽光発電システムのタイプＴ１の構成を示す図である。図６は、既存の太陽光発電システムのタイプＴ２の構成を示す図である。
【００１３】
図５に示すタイプＴ１は、高圧系統に連系するタイプである。直流電源装置１０（例えば、太陽光発電モジュール）は、直流電源装置１０からの出力を合成する接続箱１１を介してパワーコンディショナ２０に接続されている。パワーコンディショナ２０は、商用昇圧トランス３０を介して高圧の交流の商用系統１（例えば、６６００Ｖ系統）に連系されている。パワーコンディショナ２０は、昇圧用のＤＣ／ＤＣコンバータ２１と系統連系インバータ２２とを有している。なお、電圧の種別は、電気設備技術基準の第２条による。
【００１４】
図６に示すタイプＴ２は、低圧系統に連系するタイプである。直流電源装置１０は、接続箱１１を介してパワーコンディショナ２０に接続されている。パワーコンディショナ２０は、系統連系インバータ２２と商用絶縁トランス２３とを有し、低圧の交流の商用系統１Ａ（例えば、２００Ｖ系統）に連系されている。
【００１５】
すなわち、タイプＴ１は、昇圧用のＤＣ／ＤＣコンバータ２１を内蔵するタイプであり、タイプＴ２は、ＤＣ／ＤＣコンバータ２１を持たないタイプである。
【００１６】
太陽光発電システムでは、最大電力点追従制御（ＭＰＰＴ）が実施されている。ＭＰＰＴとは、太陽電池が発電する時に出力を最大化できる最適な電流×電圧の積（最大電力点、あるいは最適動作点）を自動で求めることができる制御装置のことである。太陽電池は設置場所や天候により最適動作点が変動するが、ＭＰＰＴにより自動的に最大出力を得ることが可能となる。
【００１７】
最大電力点追従制御は、タイプＴ１ではＤＣ／ＤＣコンバータ２１、タイプＴ２では系統連系インバータ２２が担う。また、タイプＴ１でも低電圧時は系統連系インバータ２２でＭＰＰＴ制御するケースもある。
【００１８】
以下で、前記で説明した既設発電システムの大幅な改造を伴わずに、交流系統側への供給及び直流系統側への供給を任意に切り替えることができる電力供給システムについて説明する。
本発明を実施するための実施形態について、適宜図面を参照しながら詳細に説明する。
【００１９】
<<第１実施形態>>
図１は、第１実施形態に係る管理エリアの電力供給システム１００の構成を示す図である。図１は、図５と比較して、接続箱１１とパワーコンディショナ２０との間に切替器５０（切替部）を設けている。本実施形態において、直流電源装置１０は太陽光発電モジュールに相当する。この切替器５０の一方には、太陽光発電モジュールの接続箱１１が接続され、他方にはパワーコンディショナ２０と直流線２が切り替え可能に接続されている。
【００２０】
切替器５０は、接続箱１１とパワーコンディショナ２０との間に設けられているため、直流線２を追設する場合には、接続箱１１のブレーカを落とすことで容易に工事することが可能である。
【００２１】
そして、直流線２には、切替器５０側から順にＤＣ／ＤＣコンバータ５３（ＭＰＰＴ制御を実施）、双方向ＤＣ／ＤＣコンバータ６１を介した蓄電池６２、急速充電器６３（電動移動体用充電設備）が接続されている。本実施形態において、蓄電池６２及び急速充電器６３（電動移動体用充電設備）は直流負荷に相当する。太陽光発電モジュールが発電した電力が直流線２へ供給される場合、ＤＣ／ＤＣコンバータ５３により電力変換後、急速充電器６３から電動移動体Ｖ（電動移動体Ｖ１）の電力貯蔵装置４（図８参照）へ供給される。また、直流線２から急速充電器６３を介さずに電動移動体（電動移動体Ｖ２）に充電することができる。詳細については、図７〜図９を参照して後記する。
【００２２】
切替器５０は、管理装置８０から入力部５１を介して外部信号５１ｓ（指令）を受信して、自動的に接続先（パワーコンディショナ２０と直流線２）を切り替え可能である。例えば、再生可能エネルギーの売電価格が低い場合は、切替器５０を直流線２側に切り替え、太陽光発電モジュールが発電した電力は蓄電池６２・電動移動体Ｖに利用する。当該売電価格が高い場合は、切替器５０をパワーコンディショナ２０側に切り替え、当該電力を商用系統へ供給して売電するといった運用が可能である。
【００２３】
その他の切り替え方法としては、通常時、切替器５０は、パワーコンディショナ２０に切り替えられて売電を行う。急速充電器６３（電動移動体用充電設備）を介して電動移動体Ｖが直流線２に物理的接続されたとき、管理装置８０は、電動移動体Ｖに予め付与された識別情報を取得する。この識別情報が直流線２に電気的接続可能な登録情報と判別したとき、管理装置８０は、電動移動体Ｖに非走行モードを設定し、直流線２に切り替える指令を切替器５０に送信する。当該指令を受信した切替器５０は、回路を直流線２側に切り替えることで、直流線２に電流を供給する。また、管理装置８０から電動移動体用充電設備に電気的接続を認める指令も送信することで、電動移動体Ｖへ充電することが可能となる。また、直流電源装置１０から所定電圧の直流電流が得られない場合に、蓄電池６２から電動移動体用充電設備に直流電流を供給することも可能である。
【００２４】
図１は、図５のタイプＴ１に切替器５０を配設した場合であるが、図６のタイプＴ２に切替器５０を配設してもよい。
【００２５】
以上説明したように、タイプＴ１とタイプＴ２とをまとめると、直流電源装置１０が接続された接続箱１１と、直流電源装置１０が発電した電力を変換する系統連系インバータ２２との間に切替器５０を設け、この切替器５０の一方には、直流電源装置１０（太陽光発電モジュール）の接続箱１１が接続され、他方には系統連系インバータ２２と直流線２が切り替え可能に接続されている。なお、接続箱１１は、前記したように、直流電源装置１０からの出力を合成する装置であり、系統連系インバータ２２は、直流電源装置１０が発電した電力を交流に変換する装置である。
【００２６】
そして、直流電源装置１０により発電された直流電流は、商用系統側のＤＣ／ＤＣコンバータ２１を経由させずに電動移動体Ｖの車載充電池へ供給される。従って、太陽光発電の自家消費を行う場合、既設発電システムの大幅な改造を伴わずに、交流系統側への供給及び直流系統側への供給を任意に切り替えることができる。
【００２７】
<<第２実施形態>>
図２は、第２実施形態に係る管理エリアの電力供給システム１００Ａの構成を示す図である。図２に示す電力供給システム１００Ａは、図１と比較して、接続箱１１を切替器５０を含めた切替機能付き接続箱１１Ａに変更している。
【００２８】
本実施形態における切替部は、切替機能を設けた接続箱に相当する。この切替機能付き接続箱１１Ａの一方には、直流電源装置１０（太陽光発電モジュール）が接続され、他方にはパワーコンディショナ２０と直流線２が切り替え可能に接続されている。切替機能付き接続箱１１Ａの制御回路５２は、入力部５１で受信した外部信号５１ｓに基づき、太陽光発電モジュールのストリング毎に配線を切り替えでき、太陽光発電モジュール出力をパワーコンディショナ２０側と直流線２側に分配できる。すなわち、太陽光発電モジュール出力の一部をパワーコンディショナ２０側へ供給し、残りを直流線２側に供給できる。
【００２９】
また、切替機能付き接続箱１１Ａは、第１実施形態と同様に、管理装置８０からの指令を受信して、自動的に接続先（パワーコンディショナ２０と直流線２）を切り替え可能である。第１実施形態では太陽光発電モジュールによる電力をパワーコンディショナ２０側又は直流線２側の一方のみに供給するが、第２実施形態では太陽光発電モジュールのストリング毎に接続先を切り替え可能である。この特徴を生かした系統切替方法の一例を図３で説明する。
【００３０】
図３は、第２実施形態に係る電力供給システム１００Ａの系統切替方法の一例を示す図である。電力会社９０からリソースアグリゲータ９１に対して、太陽光発電の出力抑制指令を受けた場合、リソースアグリゲータ９１は太陽光発電を所有するエリア管理者９２に対して出力抑制を依頼する。リソースアグリゲータ９１から太陽光発電モジュール出力を低下させる指令信号を受信したエリア管理者９２は、太陽光発電モジュール出力の大部分を直流線２側に分配し、大部分の太陽光発電電力を自家消費に回すよう、管理装置８０から切替機能付き接続箱１１Ａへ指令を出すことができる。
【００３１】
<<第３実施形態>>
図４は、第３実施形態に係る管理エリアの電力供給システム１００Ｂの構成を示す図である。パワーコンディショナ２０内部には、ＤＣ／ＤＣコンバータ２１及び系統連系インバータ２２が設けられている。
【００３２】
そこで、図４に示す電力供給システム１００Ｂは、パワーコンディショナ２０内部のＤＣ／ＤＣコンバータ２１及び系統連系インバータ２２間に接続され、直流線２への分岐スイッチ５４を有しており、ＤＣ／ＤＣコンバータ５５を介して、直流線２に接続されている。この場合、直流線２に設けられたＤＣ／ＤＣコンバータ５５では、ＭＰＰＴ制御が不要となる。
【００３３】
第３実施形態によれば、管理装置８０の投入信号に基づいて分岐スイッチ５４が投入され、直流線２に直流電流を供給することができる。分岐スイッチ５４は、パワーコンディショナ２０の筐体の中にあってもよいし、外にあってもよい。
【００３４】
＜直流線２の詳細＞
図７は、実施形態に係る電力供給システム１００の直流線２の詳細を示す図である。図７は、図２を基に、直流線２に配設されている接続装置７０を詳細に図示している。図２と同一構成要素には同一符号を付けて説明を省略する。また、直流線２等は、模式的に単線で図示している。
【００３５】
管理エリアＡ１には、直流線２が配設されており、直流線２には、複数の接続装置７０が設けられている。接続装置７０は、通電用スイッチ７１と出力接続部ＪＬ（給電スポット）と制御部７４とを含んでいる。
【００３６】
管理エリアとは、自治体の管轄地域内や企業の事業所内など、一管理者により管理される地域であって、直流線２を敷設し、電動移動体Ｖを登録する上で第三者から何らの制限を受けることのない地域である。
【００３７】
直流線２は、接続装置７０，７０Ａを介して、電動移動体Ｖに電力を供給するための１以上の出力接続部ＪＬ（給電スポット）を有する。電動移動体Ｖは、両端に接続部ＪＣ１，ＪＣ２（図８参照）を有するケーブルＣを介して電力供給を受ける。電動移動体ＶへのケーブルＣが接続されていない状態では、接続装置７０は、遮断されている。なお、接続装置７０と接続装置７０Ａとは、電動移動体Ｖへ供給する直流電圧、供給容量の相違がある。
【００３８】
管理装置８０は、接続装置７０，７０Ａを介して電動移動体Ｖが直流線２に物理的接続されたときに通常充電又は高速充電といった充電モードを選択し、電動移動体Ｖに予め付与された電動移動体識別情報を取得して、電動移動体識別情報が直流線２に電気的接続可能な登録情報と判別したときに電動移動体Ｖに充電モードを設定し、直流線２から電動移動体Ｖに必要量の直流電力を供給して電動移動体Ｖに搭載された電力貯蔵装置４（図８参照）を充電し、電動移動体Ｖに必要量の直流電力を供給したときに充電モードを解除し、直流線２と電動移動体Ｖとを解列する。
【００３９】
すなわち、出力接続部ＪＬに電動移動体Ｖが物理的接続されたときに、電動移動体Ｖに付与されている電動移動体識別情報を取得して、電動移動体識別情報に基づき、電動移動体Ｖが給電対象電動移動体か否かを判定し、給電対象電動移動体と判定されたときに、接続装置７０は、直流線２と電動移動体Ｖとを電気的接続し、電動移動体Ｖの蓄電可能容量に到達するまで、または、電動移動体Ｖが出力接続部ＪＬから解列されるまで、出力接続部ＪＬから電動移動体Ｖに直流電力を供給する。
【００４０】
管理装置８０は、登録識別情報にリンクされた、通信機能を備えるカーナビまたは携帯端末の情報端末と無線通信設備である通信部により接続され、登録識別情報と、それぞれの登録識別情報に対応した電動移動体Ｖに配設された電力貯蔵装置の現在の電力貯蔵量を示す現在貯蔵量情報とを、無線通信設備により定期的に取得して更新・記憶する。なお、情報端末は、電動移動体Ｖの制御装置７（図８参照）と各種情報を送受信している。
【００４１】
図８は、本実施形態に係る電動移動体Ｖの充電モードの構成を示す図である。図９は、本実施形態に係る電動移動体Ｖの走行モードの構成を示す図である。適宜図７を参照する。電動移動体Ｖは、電力を供給して、第１の駆動用輪軸及び第２の駆動用輪軸に具備された駆動用電動装置５を回転駆動させて走行する電動移動体である。
【００４２】
電動移動体Ｖは、管理されたエリア（例えば、管理エリアＡ１）において所定電圧の直流電源を供給する直流線２（図７参照）から直流電力を受給する第１の受給接続部Ｊ１（電力受給接続部）と、第１の受給接続部Ｊ１から受給する直流電力を交流電力に変換する第１の電力変換装置１Ｃと、電力を貯蔵し、第１の駆動用電動装置５ａ及び第２の駆動用電動装置５ｂを回転駆動するのに必要な電力を供給する電力貯蔵装置４と、電力貯蔵装置の直流電力を交流電力に変換する第２の電力変換装置２Ｃと、第２の電力変換装置２Ｃと第１の電力変換装置１Ｃ及び第２の駆動用電動装置５ｂとの中間位置に配設され、第２の電力変換装置２Ｃに第１の電力変換装置１Ｃ、または、第２の駆動用電動装置５ｂの何れかを選択して接続する電力受給切替装置３とを含んで構成されている。さらに、電動移動体Ｖは、第１の受給接続部Ｊ１と第１の電力変換装置１Ｃとの中間位置に配設され、第１の電力変換装置１Ｃに第１の受給接続部Ｊ１、または、電力貯蔵装置４、の何れか選択して接続する第１のスイッチ８と、第１の電力変換装置１Ｃを第１の駆動用電動装置５ａまたは電気的絶縁装置６を介して電力受給切替装置３に接続する第２のスイッチ９と、第１の電力変換装置１Ｃ、第２の電力変換装置２Ｃ、電力受給切替装置３、第１のスイッチ８、第２のスイッチ９等を制御する制御装置７とを含んで構成されている。また、電動移動体Ｖは、電力貯蔵装置４に直結する第２の受給接続部Ｊ２を有している。
【００４３】
電動移動体Ｖは、第１のスイッチ８により電力貯蔵装置４と第１の電力変換装置１Ｃとを接続し、第２のスイッチ９により第１の電力変換装置１Ｃと第１の駆動用電動装置５ａとを接続し、電力受給切替装置３により第２の電力変換装置２Ｃと第２の駆動用電動装置５ｂとを接続し、第１の電力変換装置１Ｃから出力された交流電力が第１の駆動用電動装置５ａに、第２の電力変換装置２Ｃから出力された交流電力が第２の駆動用電動装置５ｂに供給される走行モードを有する。
【００４４】
また、電動移動体Ｖは、第１のスイッチ８により第１の受給接続部Ｊ１と第１の電力変換装置１Ｃとを接続し、第２のスイッチ９により第１の電力変換装置１Ｃと電力受給切替装置３とを接続し、電力受給切替装置３により第２の電力変換装置２Ｃと第１の電力変換装置１Ｃとを接続し、第１の電力変換装置１Ｃから出力された交流電力を第２の電力変換装置２Ｃにより直流電力に変換して電力貯蔵装置４に電力を供給する充電モードと、を有する。
【００４５】
図８の構成をさらに説明する。
電動移動体Ｖは、充電モードのときに、第１の受給接続部Ｊ１が接続装置７０（第１の接続装置）を介して直流線２に物理的接続されると、電動移動体識別情報を管理装置８０に送信するとともに、第１の受給接続部Ｊ１と直流線２との間で電気的接続が成立してから解列するまでの間、第１の受給接続部Ｊ１を介して直流線２から受電した直流電力を第１の電力変換装置１Ｃにより交流電力に変換して、第２の電力変換装置２Ｃに供給し、直流電力に変換して電力貯蔵装置４に供給して充電する。
【００４６】
また、電動移動体Ｖは、充電モードのときに、第２の受給接続部Ｊ２が接続装置７０Ａ（第２の接続装置）を介して急速充電器６３に物理的接続された場合、電動移動体識別情報を管理装置８０に送信するとともに、第２の受給接続部Ｊ２と急速充電器６３との間で電気的接続が成立してから解列するまでの間、第２の受給接続部Ｊ２を介して急速充電器６３から受電した直流電力を電力貯蔵装置４に供給して充電する。
【００４７】
電動移動体Ｖは、充電モードが解除されたときに、電力貯蔵装置４から出力される直流電力を第１の電力変換装置１Ｃに供給して交流電力に変換し、第１の駆動用電動装置５ａに供給するとともに、第２の電力変換装置２Ｃに供給して交流電力に変換し、第２の駆動用電動装置５ｂに供給して走行モードに移行する。
【００４８】
また、電動移動体Ｖは、第１の駆動用電動装置５ａと第１の電力変換装置１Ｃとが、第２の駆動用電動装置５ｂと第２の電力変換装置２Ｃとが、回生ブレーキ装置として機能し、走行モードにおいて、電力貯蔵装置４の出力が抑制されたときに、駆動用電動装置５により生じた電力を第１の電力変換装置１Ｃまたは第２の電力変換装置２Ｃを介して電力貯蔵装置４に供給して電力貯蔵装置４に充電するとよい。
【００４９】
本実施形態の電力供給システムによれば、既設発電システムの大幅な改造を伴わずに、交流系統側への供給及び直流系統側への供給を任意に切り替えることができる。また、電力需要に応じて、直流電源装置１０（太陽光発電モジュール）の出力の一部を商用系統１側へ供給し、残りを直流線２側に供給できる。
【符号の説明】
【００５０】
１，１Ａ    商用系統
２    直流線
１Ｃ    第１の電力変換装置
２Ｃ    第２の電力変換装置
３    電力受給切替装置
４    電力貯蔵装置
５    駆動用電動装置
５ａ    第１の駆動用電動装置
５ｂ    第２の駆動用電動装置
６    電気的絶縁装置
７    制御装置
８    第１のスイッチ
９    第２のスイッチ
１０    直流電源装置
１１    接続箱
１１Ａ    切替機能付き接続箱（切替器）
２０    パワーコンディショナ
２１    ＤＣ／ＤＣコンバータ
２２    系統連系インバータ
２３    商用絶縁トランス
３０    商用昇圧トランス
５０    切替器（切替部）
５１    入力部
５１ｓ    外部信号
５２    制御回路
５３    ＤＣ／ＤＣコンバータ
５４    分岐スイッチ（スイッチ）
６１    双方向ＤＣ／ＤＣコンバータ
６２    蓄電池
６３    急速充電器
７０    接続装置
７１    通電用スイッチ
７４    制御部
８０    管理装置
９０    電力会社
９１    リソースアグリゲータ
９２    エリア管理者
１００，１００Ａ，１００Ｂ    電力供給システム
Ａ１，Ａ２，Ａ３    管理エリア
Ｃ    ケーブル
Ｊ１    第１の受給接続部（電力受給接続部）
Ｊ２    第２の受給接続部
ＪＣ１，ＪＣ２    接続部
ＪＬ    出力接続部（給電スポット）
Ｖ，Ｖ１，Ｖ２    電動移動体
【要約】
【課題】既設発電システムの大幅な改造を伴わずに、交流系統側への供給及び直流系統側への供給を任意に切り替えることができる電力供給システムを提供する。
【解決手段】電力供給システム１００は、管理されたエリアにおいて、所定電圧の直流電流を供給する直流電源装置１０（例えば、太陽光発電モジュール）と、直流電源装置１０からの出力を合成する接続箱１１と、接続箱１１から出力された電流を変換し、交流電流を供給する系統連系インバータ２２を備えた電力供給システムであって、接続箱１１と系統連系インバータ２２の間に、管理装置８０からの切替信号に基づいて交流電流の供給系統と直流電流の供給系統を切り替える切替器５０を設ける。
【選択図】図１【図１】
0006829336.tif 000002
【図２】
0006829336.tif 000003
【図３】
0006829336.tif 000004
【図４】
0006829336.tif 000005
【図５】
0006829336.tif 000006
【図６】
0006829336.tif 000007
【図７】
0006829336.tif 000008
【図８】
0006829336.tif 000009
【図９】
0006829336.tif 000010